(57)【要約】    【課題】  全ズーム範囲及び物体距離全般にわたり高い光学性能が容易に得られるズームレンズを得る。    【解決手段】  正の屈折力の第１レンズ群、負の屈折力の第２レンズ群、開口絞り、複数のレンズ群を含む後群を有しズーミングに際して第２レンズ群と後群の少なくとも２つのレンズ群が移動し第１レンズ群は負の屈折力の第１ａレンズ群、正の屈折力の第１ｂレンズ群より構成され、第１ａレンズ群は負の屈折力の第１ａ１レンズ群、フォーカスに際して移動する正の屈折力の第１ａ２レンズ群より構成され、後群のうちズーミングにおける移動量が最大のレンズ群の移動量ｍ１、後群の他のレンズ群の移動量ｍｉ、第１レンズ群と第２レンズ群の焦点距離ｆ１，ｆ２、広角端と望遠端における第１レンズ群と第２レンズ群の主点間隔ｈ１２ｗ、ｈ１２ｔ、広角端と望遠端における第２レンズ群の最も像側のレンズ面から開口絞りまでの距離Ｓｗ，Ｓｔ、ズーム比Ｚを適切に設定する。【選択図】    図１
2014063026.tif 000002
【特許請求の範囲】
【請求項１】
物体側から像側へ順に、正の屈折力の第１レンズ群、負の屈折力の第２レンズ群、開口絞り、複数のレンズ群を含む後群を有し、ズーミングに際して、前記第１レンズ群は不動であり、前記第２レンズ群と前記後群の少なくとも２つのレンズ群が移動するズームレンズにおいて、
前記第１レンズ群は、物体側から像側へ順に、負の屈折力の第１ａレンズ群、正の屈折力の第１ｂレンズ群より構成され、前記第１ａレンズ群は、物体側から像側へ順に、負の屈折力の第１ａ１レンズ群、フォーカスに際して移動する正の屈折力の第１ａ２レンズ群より構成され、
前記後群のうち広角端から望遠端へのズーミングにおける移動量が最大のレンズ群の移動量をｍ１、前記後群の他のレンズ群の移動量をｍｉ、前記第１レンズ群と前記第２レンズ群の焦点距離を各々ｆ１，ｆ２、広角端と望遠端における前記第１レンズ群と前記第２レンズ群の主点間隔を各々ｈ１２ｗ、ｈ１２ｔ、広角端と望遠端における第２レンズ群の最も像側のレンズ面から前記開口絞りまでの距離を各々Ｓｗ，Ｓｔ、ズーム比をＺとし、
Ｚｐ＝{（Sw+f2)(f1+f2-h12w)-(f22)}/ {（St+f2)(f1+f2-h12t)-(f22)}
とおくとき、
１．１＜ｍ１／ｍｉ＜１５
１．１＜Ｚ／Ｚｐ＜２．０
なる条件式を満足することを特徴とするズームレンズ。
【請求項２】
前記第１ａ２レンズ群の焦点距離をｆ１ａ２とするとき、
１＜ｆ１ａ２／ｆ１＜５
なる条件式を満足することを特徴とする請求項１に記載のズームレンズ。
【請求項３】
前記後群は、広角端から望遠端へのズーミングに際して物体側に凸状の軌跡で移動するレンズ群ＬＸ１と、該レンズ群ＬＸ１に隣接して移動するレンズ群ＬＸ２を有し、ズーミングに際しての前記レンズ群ＬＸ１と前記レンズ群ＬＸ２の最大間隔をＬｍａｘ、最小間隔をＬｍｉｎとするとき、
２＜Ｌｍａｘ／Ｌｍｉｎ＜１０
なる条件式を満足することを特徴とする請求項１又は２に記載のズームレンズ。
【請求項４】
前記後群は、最も像側から物体側へ向かって３つの正の屈折力のレンズ群を有することを特徴とする請求項１乃至３のいずれか１項に記載のズームレンズ。
【請求項５】
前記開口絞りから前記後群の前側主平面位置までの距離を０ｒ１、前記後群の焦点距離をｆｒ、ズーム全域において距離０ｒ１と焦点距離ｆｒの比（０ｒ１／ｆｒ）が最大と最小のときの値の差をΔ（０ｒ１／ｆｒ）とするとき、
０．９＜０ｒ１／ｆｒ＜２．０
Δ（０ｒ１／ｆｒ）＜１．０
なる条件式を満足することを特徴とする請求項１乃至４のいずれか１項に記載のズームレンズ。
【請求項６】
前記後群は、物体側から像側へ順に、正の屈折力の第３レンズ群、正の屈折力の第４レンズ群、正の屈折力の第５レンズ群より構成され、ズーミングに際して前記第３レンズ群、前記第４レンズ群、前記第５レンズ群が移動することを特徴とする請求項１乃至５のいずれか１項に記載のズームレンズ。
【請求項７】
前記後群は、物体側から像側へ順に、負の屈折力の第３レンズ群、正の屈折力の第４レンズ群、正の屈折力の第５レンズ群、正の屈折力の第６レンズ群より構成され、ズーミングに際して前記第３レンズ群、前記第４レンズ群、前記第５レンズ群は移動し、前記第６レンズ群は不動であることを特徴とする請求項１乃至５のいずれか１項に記載のズームレンズ。
【請求項８】
請求項１乃至７のいずれか１項に記載のズームレンズと、該ズームレンズによって形成された像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。この他、画像を投射する投射装置等に好適なものである。
【背景技術】
【０００２】
近年、ハイビジョン放送やＨＤ規格で動画を撮影できるビデオカメラや放送用テレビカメラ等の撮像装置が普及し、撮像装置からの出力映像は高画質化されている。これらの撮像装置に使用されるズームレンズは、撮像素子からの画素数の増加や画素の高密度化によって、それに対応した高い光学性能（解像力）を有することが要望されている。更にフォーカシングによってズーム倍率が変化しないこと等も要望されている。
【０００３】
従来、放送用テレビカメラに用いられているズームレンズとして、最も物体側に正の屈折力のレンズ群が配置されたポジティブリード型のズームレンズが知られている（特許文献１）。特許文献１では物体側から像側へ順に、正、負、正、負、正の屈折力の第１乃至第５レンズ群より構成され、第２レンズ群と第３レンズ群の間に開口絞りを配置している。そして開口絞りより物体側の第２レンズ群と開口絞りより像側の第４レンズ群を移動させてズーミングを行っている。
【０００４】
一方、ズーミングに際して３以上のレンズ群を移動させると、ズーミングに伴う収差変動を補正するのが容易となる。デジタルカメラ等の撮像装置に用いられるズームレンズにおいて、ズーミングに際して３つ以上のレンズ群を移動させて、ズーミングに伴う収差変動を軽減したズームレンズが知られている（特許文献２）。特許文献２では物体側から像側へ順に、正、負、正、正の屈折力の第１乃至第４レンズ群より構成され、第１レンズ群乃至第４レンズ群を移動させてズーミングを行っている。
【先行技術文献】
【特許文献】
【０００５】
【特許文献１】特開２０００−１０５３３６号公報
【特許文献２】特開２００９−８０４８３号公報
【発明の概要】
【発明が解決しようとする課題】
【０００６】
近年、ＴＶカメラ等の撮像装置に用いられるズームレンズには、全ズーム範囲にわたりスーパーハイビジョン相当の高画質が得られることが要望されている。またビデオカメラやデジタルスチルカメラ等に用いられるズームレンズにも全ズーム範囲にわたり高い光学性能を有することが要望されている。
【０００７】
全ズーム範囲及び物体距離全般にわたり高い光学性能を得るには、全ズーム範囲及び物体距離全般にわたり諸収差が良好に補正されていること、特に像面湾曲が良好に補正されていることが重要になってくる。前述したポジティブリード型のズームレンズにおいては、ズームタイプ及びズーミング又はフォーカシングに際して移動させるレンズ群や、その移動条件等を適切に構成することが重要になってくる。このときの構成が不適切であると、全ズーム範囲及び物体距離全般にわたり高い光学性能を有するズームレンズを得るのが難しくなってくる。
【０００８】
ズーミングに際して２つのレンズ群しか移動しないズームレンズでは、ズーミングに伴う収差変動、特に像面湾曲の変動が大きく、全ズーム範囲にわたり高い光学性能を得るのが困難となる。またＴＶカメラ用のズームレンズにおける第１レンズ群（前玉）は有効径が大きく、かつ高重量である。このため、第１レンズ群全体でフォーカシングを行う方法は、フォーカシングを高速に行うのが困難である。
【０００９】
また広角端から望遠端へのズーミングに際して入射瞳径がズーミングに対応して大きくならないとズーミングに際してＦナンバーが変動し、望遠端においてＦナンバーが大きくなると入射瞳径が相対的に小さくなる。そして回折による画質劣化の影響が無視できなくなる。このため、全ズーム範囲にわたり高い光学性能を得るには、ズーミングに対応して入射瞳径が大きくなるように設定し、回折による画質の低下を軽減することが重要になってくる。
【００１０】
本発明は、全ズーム範囲及び物体距離全般にわたり高い光学性能が容易に得られるズームレンズ及びそれを有する撮像装置の提供を目的とする。
【課題を解決するための手段】
【００１１】
本発明のズームレンズは、物体側から像側へ順に、正の屈折力の第１レンズ群、負の屈折力の第２レンズ群、開口絞り、複数のレンズ群を含む後群を有し、ズーミングに際して、前記第１レンズ群は不動であり、前記第２レンズ群と前記後群の少なくとも２つのレンズ群が移動するズームレンズにおいて、前記第１レンズ群は、物体側から像側へ順に、負の屈折力の第１ａレンズ群、正の屈折力の第１ｂレンズ群より構成され、前記第１ａレンズ群は、物体側から像側へ順に、負の屈折力の第１ａ１レンズ群、フォーカスに際して移動する正の屈折力の第１ａ２レンズ群より構成され、前記後群のうち広角端から望遠端へのズーミングにおける移動量が最大のレンズ群の移動量をｍ１、前記後群の他のレンズ群の移動量をｍｉ、前記第１レンズ群と前記第２レンズ群の焦点距離を各々ｆ１，ｆ２、広角端と望遠端における前記第１レンズ群と前記第２レンズ群の主点間隔を各々ｈ１２ｗ、ｈ１２ｔ、広角端と望遠端における第２レンズ群の最も像側のレンズ面から前記開口絞りまでの距離を各々Ｓｗ，Ｓｔ、ズーム比をＺとし、
Ｚｐ＝{（Sw+f2)(f1+f2-h12w)-(f22)}/ {（St+f2)(f1+f2-h12t)-(f22)}
とおくとき、
１．１＜ｍ１／ｍｉ＜１５
１．１＜Ｚ／Ｚｐ＜２．０
なる条件式を満足することを特徴としている。
【発明の効果】
【００１２】
本発明によれば、全ズーム範囲及び物体距離全般にわたり高い光学性能が容易に得られるズームレンズが得られる。
【図面の簡単な説明】
【００１３】
【図１】本発明の実施例１の広角端におけるレンズ断面図
【図２】（Ａ），（Ｂ）  本発明の実施例１の広角端と望遠端における収差図
【図３】本発明の実施例２の広角端におけるレンズ断面図
【図４】（Ａ），（Ｂ）  本発明の実施例２の広角端と望遠端における収差図
【図５】本発明の実施例３の広角端におけるレンズ断面図
【図６】（Ａ），（Ｂ）  本発明の実施例３の広角端と望遠端における収差図
【図７】本発明の実施例４の広角端におけるレンズ断面図
【図８】（Ａ），（Ｂ）  本発明の実施例４の広角端と望遠端における収差図
【図９】本発明の撮像装置の要部概略図
【発明を実施するための形態】
【００１４】
以下に、本発明のズームレンズ及びそれを有する撮像装置の実施の形態を添付の図面に基づいて説明する。本発明のズームレンズは、物体側から像側へ順に、正の屈折力の第１レンズ群、負の屈折力の第２レンズ群、開口絞り、複数のレンズ群を含む後群を有している。ズーミングに際し、第１レンズ群は不動であり、第２レンズ群と後群の少なくとも２つのレンズ群が移動する。第１レンズ群は物体側から像側へ順に負の屈折力の第１ａ１レンズ群、フォーカス用の正の屈折力の第１ａ２レンズ群、正の屈折力の第１ｂレンズ群より構成され、第１ａ１レンズ群と第１ａ２レンズ群よりなる合成の第１ａレンズ群は負の屈折力である。
【００１５】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの広角端におけるレンズ断面図である。図４（Ａ）、（Ｂ）はそれぞれ実施例２のズームレンズの広角端、望遠端における収差図である。図５は本発明の実施例３のズームレンズの広角端におけるレンズ断面図である。図６（Ａ）、（Ｂ）はそれぞれ実施例３のズームレンズの広角端、望遠端における収差図である。
【００１６】
図７は本発明の実施例４のズームレンズの広角端におけるレンズ断面図である。図８（Ａ）、（Ｂ）はそれぞれ実施例４のズームレンズの広角端、望遠端における収差図である。レンズ断面図、収差図は物体距離が無限遠のときを示す。図９は本発明のズームレンズを備える例としてＴＶカメラ（撮像装置）に適用したときの要部概略図である、各実施例のズームレンズはＴＶカメラ等の撮像装置に用いられる撮影レンズ系である。レンズ断面図において、左方が被写体側（物体側）（前方）で、右方が像側（後方）である。各レンズ断面図において、Ｌ０はズームレンズである。
【００１７】
ｉは物体側から像側への各レンズ群の順序を示し、Ｌｉは第ｉレンズ群である。ＬＲは複数のレンズ群を含む後群である。ＳＰは広角端において軸上最大光束径を決定している開口部（開口絞り）である。ここで「軸上最大光束径を決定している開口部」とは、物体距離が無限遠にあるときの軸上光束（主光線が光軸上を進む光束）において、Ｆナンバーを決定している開口部のことを指す。
【００１８】
図１，図３の実施例１，２のレンズ断面図においてＬ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。Ｌ５は正の屈折力の第５レンズ群である。後群ＬＲは正の屈折力の第３レンズ群Ｌ３、正の屈折力の第４レンズ群Ｌ４、正の屈折力の第５レンズ群Ｌ５より構成されている。
【００１９】
第１レンズ群Ｌ１は物体側から像側へ順に、負の屈折力の第１ａレンズ群Ｌ１ａと、正の屈折力の第１ｂレンズ群Ｌ１ｂより構成されている。第１ａレンズ群Ｌ１ａは物体側から像側へ順に、負の屈折力の第１ａ１レンズ群Ｌ１ａ１とフォーカスに際して移動する正の屈折力の第１ａ２レンズ群Ｌ１ａ２より構成されている。第１ａレンズ群Ｌ１ａは全フォーカシング領域において負の屈折力である。開口絞りＳＰは第２レンズ群Ｌ２と第３レンズ群Ｌ３との間に位置している。ＧＢは色分解プリズムや光学フィルター等に相当する光学ブロックである。
【００２０】
ＩＰは像面であり、ＣＣＤセンサやＣＭＯＳセンサ等の撮像素子（光電変換素子）の撮像面が置かれる。ズーミングに際して第１レンズ群Ｌ１は不動である。広角端から望遠端へのズーミングに際して矢印のように、第２レンズ群Ｌ２は像側に移動している。また第３レンズ群Ｌ３と第４レンズ群Ｌ４、第５レンズ群Ｌ５は物体側に凸状の軌跡を描いて互いに独立に（異なった軌跡で）移動している。開口絞りＳＰは他のレンズ群と独立に移動している。
【００２１】
図５、図７の実施例３、４においてＬ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は正の屈折力の第５レンズ群、Ｌ６は正の屈折力の第６レンズ群である。後群ＬＲは負の屈折力の第３レンズ群、正の屈折力の第４レンズ群、正の屈折力の第５レンズ群、正の屈折力の第６レンズ群より構成されている。
【００２２】
第１レンズ群Ｌ１は物体側から像側へ順に、負の屈折力の第１ａ１レンズ群Ｌ１ａ１、フォーカス用の正の屈折力の第１ａ２レンズ群Ｌ１ａ２、正の屈折力の第１ｂレンズ群Ｌ１ｂより構成されている。第１ａ１レンズ群Ｌ１ａ１と第１ａ２レンズ群Ｌ１ａ２よりなる合成の第１ａレンズ群Ｌ１ａは全フォーカシング領域において負の屈折力である。
【００２３】
開口絞りＳＰは第２レンズ群Ｌ２と第３レンズ群Ｌ３との間に配置されている。ＧＢは光学ブロック、ＩＰは像面である。広角端から望遠端へのズーミングに際して第２レンズ群Ｌ２は像側へ移動している。第３レンズ群Ｌ３は物体側に凸状の軌跡で移動している。第４レンズ群Ｌ４と第５レンズ群Ｌ５は物体側へ互いに独立に移動している。第１レンズ群Ｌ１と第６レンズ群Ｌ６はズーミングのためには不動である。図５の実施例３において開口絞りＳＰは他のレンズ群と独立に移動している。図７の実施例４において開口絞りＳＰは第３レンズ群Ｌ３と一体的（同じ軌跡）に移動している。
【００２４】
収差図においてｄ−lineはｄ線、ｇ−lineはｇ線である。ΔＭ、ΔＳはｄ線でのメリディオナル像面、サジタル像面である。倍率色収差はｇ線によって表している。ＦｎｏはＦナンバー、ωは半画角である。尚、以下の各実施例において、広角端と望遠端は変倍用レンズ群が機構上、光軸上を移動可能な範囲の両端に位置したときのズーム位置をいう。
【００２５】
ＴＶカメラ用のズームレンズにおいて、ズーミングに伴う像面変動を補正する機能、所謂コンペ機能を後群に持たせることが知られている。本発明は、後群にコンペ機能以外の機能、例えば収差補正機能を持たせている。即ち後群を相対的駆動量関係を持たせながら駆動する複数のレンズ群より構成している。
【００２６】
またズームレンズの高ズーム比化を図るため、開口絞りおよび後群を駆動すると、入射瞳径の倍率に比してズーム比が大きくなってくる。この結果、望遠側においてＦナンバーが大きくなり、回折による画質が劣化してくる。この回折による画質劣化が大きな課題となる。
【００２７】
そこで本発明では、後群の２以上のレンズ群を一定の関係を持たせつつ駆動することでズーミングに際しての収差変動を抑制すると同時に、開口絞りおよび後群が駆動することで、入射瞳径の変化を考慮して回折限界の影響が少なくなるようにしている。
【００２８】
各実施例では物体側から像側へ順に、正の屈折力の第１レンズ群、負の屈折力の第２レンズ群、開口絞りを有する構成をとっている。広角端から望遠端へのズーミングによる、入射瞳径の変倍比をＺｐとする。変倍比Ｚｐは、開口絞りを物体側のレンズ群（第１，第２レンズ群）によって結像したときに求められる。即ち、各々対応した横倍率を乗じることで以下のように近似される。
【００２９】
Ｚｐ＝{（Sw+f2）(f1+f2-h12w)-(f22)}/{（St+f2）(f1+f2-h12t)-(f22)}
本発明では、ズーミングに際しての変倍比Ｚｐの値を大きくするために、主点間隔ｈ１２ｗと主点間隔ｈ１２ｔの関係に着目している。上記差を大きく、つまり開口絞りに対して物体側のレンズ群（第１，第２レンズ群）による変倍比率を高く設定するような構成としている。
【００３０】
ＴＶカメラに用いられるズームレンズの多くは、物体側から像側へ順に、正の屈折力の前玉レンズ群、変倍用の負の屈折力の変倍レンズ群、変倍に伴う像面変動を補正する補正レンズ群、正の屈折力のリレーレンズ群より構成されている。このズームレンズは開口絞りより物体側のレンズ群のみで変倍するため、前記変倍比Ｚｐと変倍比との関係が略同じ、つまり１となる。この場合、開口絞りより像側のレンズ群の変倍分担、収差補正効果が期待できないため、高画質化を達成することは難しい。
【００３１】
そこで本発明では、広角端における前玉有効径を小さくするために、開口絞りの位置を物体側に配置するようにしている。具体的には広角端と望遠端における第２レンズ群Ｌ２の最も像側のレンズ面から開口絞りＳＰまでの距離Ｓｗ、Ｓｔの差を大きくするように各部材を駆動して、変倍比Ｚｐを大きくしている。なお、実施例における入射瞳径の変倍比Ｚｐについての測定方法については、ピント位置にピンホールを置いてズームレンズを像側から照明する。このときに、ズームレンズの物体側にスクリーンを近接配置してそこに投影される光束径を広角端および望遠端について測定すれば良い。
【００３２】
また、それに相当する上記ズーム比Ｚｐの式に関わる変数などはズームレンズの数値例（レンズの曲率半径、厚さ、材料の屈折率等）の測定から算出できる。
【００３３】
各実施例において、後群ＬＲのうち広角端から望遠端までのズーミングに際しての移動量が最大のレンズ群の移動量をｍ１、その他のレンズ群の移動量をｍｉとする。第１レンズ群Ｌ１と第２レンズ群Ｌ２の焦点距離を各々ｆ１，ｆ２とする。広角端と望遠端における第１レンズ群Ｌ１と第２レンズ群Ｌ２の主点間隔を各々ｈ１２ｗ、ｆ１２ｔとする。広角端と望遠端における第２レンズ群Ｌ２の最も像側のレンズ面から開口絞りＳＰまでの距離を各々Ｓｗ，Ｓｔ、ズーム比をＺとし、
Ｚｐ＝{（Sw+f2)(f1+f2-h12w)-(f22)}/ {（St+f2)(f1+f2-h12t)-(f22)}
とおく。このとき、
１．１＜ｍ１／ｍｉ＜１５    ・・・（１）
１．１＜Ｚ／Ｚｐ＜２．０    ・・・（２）
なる条件式を満足している。
【００３４】
ここで移動量の符号は像側への移動量を正とする。各実施例では正の屈折力を有する第１レンズ群Ｌ１を最も物体側に配置して、隣接配置された負の屈折力の第２レンズ群Ｌ２を駆動して変倍するレンズ構成とすることで、高ズーム比化を図っている。そして、前玉（第１レンズ群Ｌ１）は大きく重いことが懸念されることから第１レンズ群Ｌ１を固定としている。そして第１レンズ群Ｌ１を物体側から像側へ順に負の屈折力の第１ａ１レンズ群Ｌ１ａ１，フォーカス用の正の屈折力の第１ａ２レンズ群Ｌ１ａ２、正の屈折力の第１ｂレンズ群Ｌ１ｂより構成している。
【００３５】
これによって、第１レンズ群Ｌ１の主平面を像側に配置し、第２レンズ群Ｌ２の屈折力を緩和して、ズーミングに際しての収差（彎曲）変動を低減している。そして第１ａ２レンズ群Ｌ１ａ２で合焦（フォーカス）することで、至近距離物体の合焦時の倍率変動を抑えている。また、ズーミングに際して後群ＬＲの少なくとも２つのレンズ群を移動させて高解像力化を図っている。このとき条件式（１）、（２）を満足するようにしている。
【００３６】
条件式（１）は、後群ＬＲのうち、ズーミングに際しての移動量が最大のレンズ群の移動量に対する、他の移動レンズ群の移動量の比を規定している。条件式（１）の下限を超えると移動量が最大のレンズ群と他のレンズ群が一体移動することと等価になり彎曲収差の補正が困難になる。逆に上限を超えると、他のレンズ群が固定されている状況と等価になるため、複数のレンズ群の移動による彎曲収差の補正が困難になる。望ましくは、以下の条件式（１ａ）範囲とすることで、さらに諸収差の変動が少ないズームレンズを達成することが容易になる。
【００３７】
１．１＜ｍ１／ｍｉ＜１０・・・（１ａ）
尚、後群ＬＲのうちズーミングによって移動するレンズ群は全て条件式（１）又は条件式（１ａ）を満足するのが良い。
【００３８】
条件式（２）は、変倍比と変倍時の入射瞳径倍率の比の近似相当値を規定している。条件式（２）の下限を超えると、後群ＬＲによる変倍分担が不足し、かつ収差補正が不足し、高ズーム比化が困難になる。逆に上限を超えると、望遠端近傍において回折による画質の劣化が増大してくる。望ましくは、以下の条件式（２ａ）範囲とすることで、さらに諸収差変動が少なく、望遠端においてＦナンバーが暗くなることによる回折の影響が少ないズームレンズを達成することが容易になる。
【００３９】
１．１＜Ｚ／Ｚｐ＜１．７    ・・・（２ａ）
各実施例において負の屈折力の第１ａ１レンズ群Ｌ１ａ１と正の屈折力の第１ａ２レンズ群Ｌ１ａ２よりなる合成の第１ａレンズ群Ｌ１ａは負の屈折力である。そして第１ａ２レンズ群Ｌ１ａ２でフォーカシングを行っている。
【００４０】
負の屈折力の第１ａレンズ群Ｌ１ａとしては、弱い屈折力をもつレンズ構成となるため、合焦時の駆動敏感度が小さく、第１ａレンズ群Ｌ１ａはフォーカスには向かない。そのため、第１ａレンズ群Ｌ１ａを第１ａ１レンズ群Ｌ１ａ１と第１ａ２レンズ群Ｌ１ａ２に分割してより軽量な第１ａ２レンズ群Ｌ１ａ２で合焦するような構成としている。これによって、至近距離物体の合焦時にも倍率変化が少なくなるようにしている。
【００４１】
以上のように、本発明によれば、十分な収差補正効果が得られると同時に、回折による画質劣化を抑制した、高画質かつ高品位なズームレンズが得られる。各実施例において、更に好ましくは次の条件式のうち１以上を満足するのが良い。第１ａ２レンズ群Ｌ１ａ２の焦点距離をｆ１ａ２とする。後群ＬＲは広角端から望遠端へのズーミングに際して物体側に凸状の軌跡で移動するレンズ群ＬＸ１と該レンズ群ＬＸ１に隣接して移動するレンズ群ＬＸ２を有する。ズーミングに際してのレンズ群ＬＸ１とレンズ群ＬＸ２の最大間隔をＬｍａｘ、最小間隔をＬｍｉｎとする。
【００４２】
開口絞りＳＰから後群ＬＲの前側主平面位置までの距離を０ｒ１、後群ＬＲの焦点距離をｆｒ、ズーム全域において距離０ｒ１と焦点距離ｆｒの比（０ｒ１／ｆｒ）が最大と最小のときの値の差をΔ（０ｒ１／ｆｒ）とする。このとき、次の条件式のうち１以上を満足するのが良い。
【００４３】
１＜ｆ１ａ２／ｆ１＜５          ・・・（３）
２＜Ｌｍａｘ／Ｌｍｉｎ＜１０    ・・・（４）
０．９＜０ｒ１／ｆｒ＜２．０    ・・・（５）
Δ（０ｒ１／ｆｒ）＜１．０      ・・・（６）
次に前述の各条件式の技術的意味について説明する。
【００４４】
条件式（３）は、第１ａ２レンズ群Ｌ１ａ２と第１レンズ群Ｌ１との焦点距離比を規定している。条件式（３）の下限を超えると、第１ａ２レンズ群Ｌ１ａ２の屈折力が強くなりすぎるとフォーカシングに際しての収差変動が増大してくる。逆に上限を超えると、フォーカシングに際しての第１ａ２レンズ群Ｌ１ａ２の移動量が増大し、収差変動が大きくなってくる。望ましくは、以下の条件式（３ａ）範囲とすることで、さらに合焦時の収差変動が少ないズームレンズを達成することが容易になる。
【００４５】
２＜ｆ１ａ２／ｆ１＜４          ・・・（３ａ）
各実施例において、後群ＬＲは広角端から望遠端へのズーミングに際して、物体側に凸状の軌跡で移動するレンズ群ＬＸ１と、それに隣接して移動するレンズ群ＬＸ２を有している。そしてズーミングに際してレンズ群ＬＸ１とレンズ群ＬＸ２の最大間隔Ｌｍａｘと最小間隔Ｌｍｉｎが条件式（４）を満足している。
【００４６】
条件式（４）は、ズーム中間域における像面の彎曲の変動を低減するためのものである。条件式（４）の下限を超えるとズーム中間域において像面彎曲の補正が困難になる。逆に上限を超えると、ズーム中間部の域において、像面湾曲の補正が過剰になりすぎる。望ましくは、以下の条件式（４ａ）範囲とすることで、さらに変倍時の彎曲などの収差変動が少ないズームレンズを達成することが容易になる。
【００４７】
３＜Ｌｍａｘ／Ｌｍｉｎ＜７      ・・・（４ａ）
各実施例では、最も像側から物体側へ向かって３つの正の屈折力のレンズ群を有している。ＴＶカメラではズームレンズの像側には色分離素子など挿入して、色ごとの撮像素子を複数使用して撮像することで、より高画質、高品位な画像を得ている。このような構成の場合、前述の入射側瞳径の変倍比条件に加えて、射出側瞳に関する条件も合わせて考慮した構成とすることが望ましい。すなわち、瞳位置が像面より遠いズームレンズであることが望ましい。このため、像側に配置されるようなレンズ群については、正の屈折力で構成するのが良い。
【００４８】
条件式（５），（６）は開口絞りＳＰから後群ＬＲの前側主平面位置までの距離０ｒ１と、後群ＬＲの焦点距離ｆｒを規定する。このうち条件式（５）は、後群ＬＲの前側主平面位置と焦点距離との比を規定している。条件式（５）の上下限どちらを超えても色分離素子の色分離面に入射する光線角度が画角によって大きく変動してしまい、色シェーディングが生じてくる。望ましくは、以下の条件式（５ａ）範囲とすることで、さらに高品位なズームレンズを達成することが容易になる。
【００４９】
１．０＜０ｒ１／ｆｒ＜２．０・・・（５ａ）
条件式（６）は、条件式（５）の（０ｒ１／ｆｒ）値について、ズーミングに際しての最大と、最小の値の差を規定している。条件式（６）の上下限どちらを超えても、色分離素子の色分離面に入射する光線角度がズーミングによって大きく変動してしまい、色シェーディングが生じてくる。望ましくは、以下の条件式（６ａ）範囲とすることで、さらに高品位なズームレンズを達成することが容易になる。
【００５０】
０．２＜Δ（０ｒ１／ｆｒ）＜０．９・・・（６ａ）
以上のように、各要素を設定すればＴＶカメラ等の撮像装置に適用したとき、例えば撮像素子の画素数が２倍以上などになったときの要求にも十分対応できる高画質、かつ高品位なズームレンズが得られる。特に後群を駆動して収差補正の効果を持たせることができる。それと同時に、その駆動によってズームレンズの入射瞳倍率変化を考慮して回折による画質劣化を抑制することができ、高品位・高画質化のズームレンズが得られる。
【００５１】
次に各実施例のズームレンズのレンズ構成について説明する。
［実施例１］
図１を参照して、実施例１のズームレンズについて説明する。実施例１はＴＶカメラなどに装着される高ズーム比のズームレンズである。物体側から像側へ順に、正の屈折力の第１レンズ群Ｌ１、負の屈折力の第２レンズ群Ｌ２、開口絞りＳＰ、後群ＬＲを有する。後群ＬＲは正の屈折力の第３レンズ群Ｌ３、正の屈折力の第４レンズ群Ｌ４、そして正の屈折力の第５レンズ群Ｌ５より構成されている。
【００５２】
本実施例では、広角端から望遠端へのズーミングに際し、第１レンズ群Ｌ１は不動である。第２レンズ群Ｌ２乃至第５レンズ群Ｌ５が移動する。本実施例ではズーム比１１．４でありながら、ズーミングに際しての収差変動が少ない高解像力を有している。また開口絞りＳＰは広角端から望遠端へのズーミングに際し、物体側に凸状の軌跡を描いて移動している。
【００５３】
第１レンズ群Ｌ１は、フォーカシングに際して不動の第１ａ１レンズ群Ｌ１ａ１と、フォーカシングに際して移動する第１ａ２レンズ群Ｌ１ａ２と、フォーカシングに際して不動の第１ｂレンズ群Ｌ１ｂより構成されている。第１レンズ群Ｌ１の一部のレンズ群を移動することにより、撮影距離が変化したときのピント調整をすることで、無限遠物体から至近距離物体に合焦してもズーム倍率が変化しないような構成としている。
【００５４】
後群ＬＲを構成する第３レンズ群Ｌ３乃至第５レンズ群Ｌ５はともに広角端から望遠端へのズーミングに際して、物体側へ凸状の軌跡を描いて移動している。これによりズーム中間域において像面彎曲が劣化するのを防いでいる。
【００５５】
本実施例において、後群ＬＲのうち広角端のズーム位置を基準として移動量が最大となるのは、第３レンズ群Ｌ３であり、ズーム中間位置において−１８．６ｍｍ（−符号は物体側への移動を表す）である。その他の移動レンズ群（Ｌ４、Ｌ５）の最大移動量は、いずれもズーム中間位置においてそれぞれ、−１２．３ｍｍ、−１１．０ｍｍである。このため条件式（１）に相当する値は１．５１と１．６９である。
【００５６】
第２レンズ群Ｌ２、開口絞りＳＰおよび後群ＬＲの移動に関する条件式（２）の値は１．３２である。これにより、入射瞳径の倍率に近似相当する量とズーム比との関係を適切に設計し、Ｆナンバーが大きくなる（レンズ系が暗くなる）ことによる回折影響による画質の劣化を抑えている。本実施例において条件式（４）に係るレンズ群ＬＸ１に相当するレンズ群は第４レンズ群Ｌ４、レンズ群ＬＸ２に相当するレンズ群は第５レンズ群Ｌ５である。
【００５７】
［実施例２］
図３を参照して、実施例２のズームレンズについて説明する。実施例２は実施例１と同様のＴＶカメラなどに装着される高ズーム比のズームレンズである。ズームタイプは実施例１と同様である。即ち、物体側から像側へ順に、正の屈折力の第１レンズ群Ｌ１、負の屈折力の第２レンズ群Ｌ２、開口絞りＳＰ、後群ＬＲを有する。後群ＬＲは正の屈折力の第３レンズ群Ｌ３、正の屈折力の第４レンズ群Ｌ４、そして正の屈折力の第５レンズ群Ｌ５より構成されている。
【００５８】
実施例２では第１ｂレンズ群Ｌ１ｂは３つの正レンズより構成している。実施例２において、後群ＬＲのうち広角端のズーム位置を基準として移動量が最大となるのは、第３レンズ群Ｌ３でありズーム中間位置において−３５．７ｍｍである。およびその他の移動レンズ群（Ｌ４、Ｌ５）の最大移動量は、いずれもズーム中間位置においてそれぞれ、−２２．１ｍｍ、−１１．６ｍｍである。このため、条件式（１）に相当する値は１．６２と３．０７である。第２レンズ群Ｌ２、開口絞りＳＰ、および後群ＬＲの移動に関する条件式（２）の値は、１．１９である。
【００５９】
本実施例において条件式（４）に係るレンズ群ＬＸ１に相当するレンズ群は第４レンズ群Ｌ４、レンズ群ＬＸ２に相当するレンズ群は第５レンズ群Ｌ５である。その他の構成は、実施例１と同じである。
【００６０】
［実施例３］
図５を参照して、実施例３のズームレンズについて説明する。実施例３はＴＶカメラなどに装着される高ズーム比のズームレンズである。物体側から像側へ順に、正の屈折力の第１レンズ群Ｌ１、負の屈折力の第２レンズ群Ｌ２、開口絞りＳＰ、後群ＬＲを有する。後群ＬＲは負の屈折力の第３レンズ群Ｌ３、正の屈折力の第４レンズ群Ｌ４、正の屈折力の第５レンズ群Ｌ５、そして正の屈折力の第６レンズ群Ｌ６より構成されている。
【００６１】
本実施例では、広角端から望遠端へのズーミングに際し、第１レンズ群Ｌ１および第６レンズ群Ｌ６は不動である。第２レンズ群Ｌ２乃至第５レンズ群Ｌ５まで全て可動としていることで、ズーム比１１．４でありながら、ズーミングに際しての収差変動が少ない高解像力を有している。また開口絞りＳＰは広角端から望遠端へのズーミングに際し、像側へ移動している。
【００６２】
広角端から望遠端へのズーミングに際して、第３レンズ群Ｌ３は物体側に凸状の軌跡を描き、移動する。第４レンズ群Ｌ４と第５レンズ群Ｌ５は物体側に移動して変倍を行う。これにより、ズーム中間域において像面彎曲が劣化するのを防いでいる。
【００６３】
本実施例において、後群ＬＲのうち広角端のズーム位置を基準として移動量が最大となるのは、第５レンズ群Ｌ５であり、望遠端のズーム位置において−１２．６ｍｍである。およびその他の移動レンズ群（Ｌ３、Ｌ４）の最大移動量は、第３レンズ群Ｌ３はズーム中間位置において、−７．２ｍｍ、第４レンズ群Ｌ４は望遠端のズーム位置において−５．０ｍｍである。このため条件式（１）に相当する値は１．７６、２．５３である。第２レンズ群Ｌ２、開口絞りＳＰ、および後群ＬＲの移動に関する条件式（２）の値は１．６１である。
【００６４】
本実施例において条件式（４）に係るレンズ群ＬＸ１に相当するレンズ群は第３レンズ群Ｌ３、レンズ群ＬＸ２に相当するレンズ群は第４レンズ群Ｌ４である。その他の構成は、実施例１と同じである。
【００６５】
［実施例４］
図７を参照して、実施例４のズームレンズについて説明する。実施例４はＴＶカメラなどに装着される高ズーム比のズームレンズである。物体側から像側へ順に、正の屈折力の第１レンズ群Ｌ１、負の屈折力の第２レンズ群Ｌ２、開口絞りＳＰ、後群ＬＲを有する。後群ＬＲは開口絞りＳＰと一体で移動する負の屈折力の第３レンズ群Ｌ３、正の屈折力の第４レンズ群Ｌ４、正の屈折力の第５レンズ群Ｌ５、正の屈折力の第６レンズ群Ｌ６より構成されている。
【００６６】
実施例４では、広角端から望遠端へのズーミングに際し、第１レンズ群Ｌ１と第６レンズ群Ｌ６は不動である。第２レンズ群Ｌ２乃至第５レンズ群Ｌ５まで全て可動としていることで、ズーム比１１．４でありながら、ズーミングに際しての収差変動が少ない高解像力を有している。開口絞りＳＰはズーミングに際し、第３レンズ群Ｌ３と一体（同じ軌跡）で移動しているが、独立に（異なった軌跡で）移動しても良い。
【００６７】
本実施例において、後群ＬＲのうち広角端のズーム位置を基準として移動量が最大となるのは、第５レンズ群Ｌ５であり、望遠端のズーム位置において−３８．４ｍｍである。およびその他の移動レンズ群（Ｌ３、Ｌ４）の最大移動量は、第３レンズ群Ｌ３はズーム中間位置において、−８．４ｍｍ、第４レンズ群Ｌ４は望遠端のズーム位置において−４．０ｍｍである。
【００６８】
このため、条件式（１）に相当する値は、４．５９、９．６である。第２レンズ群Ｌ２、開口絞りＳＰ、および後群ＬＲの移動に関する条件式（２）の値は、１．１７である。その他の点は、実施例３と同じである。また実施例１乃至４のズームレンズは、受光面上に形成された光学像を電気信号に変換する撮像素子を備えた撮像装置と組み合わせた場合などには歪曲収差量によっては電気的な補正を加えても良い。
【００６９】
図９は実施例１〜４のズームレンズを撮影光学系として用いた撮像装置（テレビカメラシステム）の要部概略図である。図９において１０１は実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。１１４、１１５は各々各レンズ群を光軸方向に駆動するヘリコイドやカム等の駆動機構である。
【００７０】
１１６、１１７は駆動機構１１４、１１５及び開口絞り（不図示）を電動駆動するモータ（駆動手段）である。図９は不図示であるが各レンズ群の光軸上の位置や、開口絞りの絞り径を検出する為のエンコーダやポテンションメータ、あるいはフォトセンサ等の検出器が設けられている。１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【００７１】
また１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００７２】
以下に本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。最も像側の３つの面はガラスブロックの面である。
【００７３】
焦点距離、Ｆナンバー、画角（度）はそれぞれ無限遠物体に焦点を合わせたときを示している。ＢＦはバックフォーカスであり、最終面（ガラスブロック面）から像面までの距離で示している。非球面形状は光軸方向にＸ軸、光軸と垂直方向にＨ軸、光の進行方向を正、Ｒを近軸曲率半径、ｋを離心率、Ａ４、Ａ６、Ａ８、Ａ１０を各々非球面係数としたとき、
【００７４】
【数１】
2014063026.tif 000003
【００７５】
なる式で表している。また例えば「ｅ−Ｚ」の表示は「１０−Ｚ」を意味する。そして、前述の各条件式と数値実施例における諸数値との関係を表１に示す。 
【００７６】
［数値実施例１］
単位 mm
面データ
面番号       r        d      nd         νd       有効径
1        196.578    3.80   1.77250    49.6      158.29
2         94.834   24.61                        137.21
3        438.686    3.30   1.71300    53.9      136.73
4        186.532   24.38                        131.05
5       -232.900    3.20   1.69680    55.5      129.54
6        387.879    0.20                        129.26
7        218.577   15.33   1.84666    23.8      130.27
8      -1457.607    4.72                        129.58
9       -500.097    8.63   1.49700    81.5      128.76
10       -206.143    0.15                        128.31
11      -1725.295   22.35   1.51633    64.1      122.24
12       -109.692    3.60   1.69895    30.1      121.23
13       -225.917   20.26                        122.96
14        212.315    3.80   1.74950    35.3      118.38
15        103.489   21.72   1.49700    81.5      115.66
16      -2744.339    0.20                        115.58
17        180.844   19.12   1.43387    95.1      115.04
18       -242.755    0.20                        114.35
19        130.297    8.56   1.43387    95.1      104.00
20        300.000  (可変)                        102.70
21         88.254    1.80   1.77250    49.6       45.09
22         34.999    9.76                         39.55
23        -57.822    1.80   1.59240    68.3       39.38
24         81.946    0.05   1.61937    19.2       37.74
25         50.827    8.82                         37.42
26        -50.321    2.95   1.59240    68.3       37.62
27       -281.311    2.96                         39.82
28        241.016    6.17   1.76182    26.6       42.33
29        -68.202  (可変)                         42.77
30(絞り)    ∞     (可変)                         27.54
31*       191.537    2.83   1.49700    81.5       37.32
32      -1287.606    0.25                         37.58
33         43.567    3.60   1.76182    26.6       38.55
34         60.603    0.65                         37.91
35         69.534    2.00   1.77250    49.6       37.91
36         44.450  (可変)                         37.03
37        487.924    6.05   1.61800    63.3       48.69
38        -92.839    0.20                         48.92
39       1125.343    2.00   1.78590    44.2       48.31
40         48.424   11.25   1.49700    81.5       47.47
41       -114.983  (可変)                         47.73
42        449.990   10.15   1.49700    81.5       47.40
43        -42.235    1.80   1.77250    49.6       47.22
44*      -479.326    0.20                         48.47
45         74.188   12.40   1.43387    95.1       49.75
46        -54.538  (可変)                         49.74
47          ∞      50.00   1.69680    55.5       50.00
48          ∞      19.00   1.51633    64.2       50.00
49          ∞      16.56                         50.00
像面        ∞   
【００７７】
非球面データ
第31面
K = 0.00000e+000  A 4=-9.57947e-007  A 6=-6.53262e-011  A 8=-2.00710e-013  
第44面
K = 0.00000e+000  A 4= 4.28288e-007  A 6= 2.77206e-010  A 8=-5.06765e-015  A10= 1.71241e-016  
各種データ
ズーム比     11.54 
広角     中間     望遠
焦点距離      10.21    56.31   117.88  
Fナンバー      1.87     2.26     2.35  
半画角（度）  38.07     8.09     3.88  
像高           8.00     8.00     8.00  
レンズ全長    555.0    555.0    555.0
BF            16.56    16.56    16.56  
d20            1.30    97.55   121.61  
d29           85.68    20.82     3.81  
d30           57.75     7.75     2.75  
d36           45.00    51.27    59.53  
d41            0.55     1.90     0.55  
d46            3.37    14.33     5.41    
入射瞳位置   103.83   266.12   431.95  
射出瞳位置    72.11   210.91   189.06  
前側主点位置 115.92   338.75   630.39  
後側主点位置   6.34   -39.77  -101.31  
ズームレンズ群データ
群  始面    焦点距離  レンズ構成長  前側主点位置  後側主点位置  h12w   h12t
1    1     116.22     188.13       125.10         57.13   -55.65  64.66
2   21     -39.17      34.31         0.18        -35.52
絞り 30       ∞         0.00         0.00         -0.00
3   31     354.31       9.33       -22.03        -26.24
4   37     145.35      19.50         7.55         -5.28
5   42     101.20      24.56        14.90         -1.95
GB   47       ∞        69.00        21.00        -21.00
単レンズデータ
レンズ  始面  焦点距離
1       1   -241.11
2       3   -457.65
3       5   -208.40
4       7    225.44
5       9    698.84
6      11    225.81
7      12   -309.00
8      14   -273.47
9      15    201.17
10      17    242.18
11      19    522.91
12      21    -76.20
13      23    -56.95
14      24   -216.23
15      26   -103.94
16      28     70.39
17      31    335.70
18      33    186.38
19      35   -165.24
20      37    126.71
21      39    -64.44
22      40     70.16
23      42     78.22
24      43    -60.06
25      45     74.62
26      47      0.00
27      48      0.00
【００７８】
［数値実施例２］
単位 mm
面データ
面番号       r        d      nd         νd       有効径
1        360.683    3.80   1.77250    49.6      159.31
2        132.936   25.08                        142.98
3       -704.073    3.30   1.71300    53.9      142.45
4        258.240   20.19                        136.37
5       -300.943    3.20   1.62588    35.7      135.51
6        157.251    0.20                        136.11
7        158.937   25.32   1.84666    23.8      136.13
8       -461.768    5.00                        135.68
9       2118.389   17.23   1.49700    81.5      130.88
10       -191.980    0.50                        129.33
11        299.127   24.14   1.49700    81.5      114.24
12       -137.356    3.60   1.75520    27.5      111.98
13      -12828.561   21.95                        109.80
14       5312.248   11.20   1.49700    81.5      106.78
15       -194.111    0.20                        106.76
16        175.191    8.44   1.43387    95.1      102.11
17        618.433    0.20                        100.97
18        114.565    9.75   1.43387    95.1       96.57
19        300.000  (可変)                         94.94
20        113.423    1.80   1.77250    49.6       44.83
21*        30.375   11.64                         38.36
22        -41.905    1.80   1.59240    68.3       37.99
23        124.415    0.05   1.61937    19.2       37.86
24         65.308    8.50                         37.83
25        -51.938    2.95   1.59240    68.3       38.55
26        -74.830    0.11                         40.55
27        208.353    7.11   1.76182    26.6       42.88
28        -74.430  (可変)                         43.53
29(絞り)    ∞     (可変)                         30.08
30*        86.437    3.56   1.49700    81.5       36.84
31        940.026    1.01                         36.80
32        251.463    3.81   1.76182    26.6       36.78
33       -170.719    0.10                         36.67
34       -247.964    2.00   1.77250    49.6       36.57
35        110.037  (可変)                         36.26
36        344.353    6.49   1.61800    63.3       45.78
37        -79.776    0.20                         46.08
38        342.331    2.00   1.78590    44.2       45.41
39         43.115   10.37   1.49700    81.5       44.40
40       -170.980  (可変)                         44.59
41       -201.201    8.60   1.49700    81.5       44.34
42        -36.930    1.80   1.77250    49.6       44.51
43*      -213.232    0.20                         46.89
44         75.684   13.35   1.43387    95.1       49.34
45        -46.755  (可変)                         49.55
46          ∞      50.00   1.69680    55.5       50.00
47          ∞      19.00   1.51633    64.2       50.00
48          ∞      18.93                         50.00
像面        ∞   
【００７９】
非球面データ
第21面
K = 1.01206e-002  A 4=-1.40590e-006  A 6= 2.61109e-010  A 8=-4.46694e-012  A10= 2.86456e-015  
第30面
K = 0.00000e+000  A 4=-1.19779e-006  A 6=-8.26351e-011  A 8=-2.03449e-013  
第43面
K = 0.00000e+000  A 4= 9.39172e-007  A 6= 5.23004e-010  A 8= 1.54654e-013  A10= 2.79735e-016  
各種データ
ズーム比     11.54 
広角     中間     望遠
焦点距離      10.21    62.35   117.87  
Fナンバー      1.87     2.05     2.19  
半画角（度）  38.07     7.31     3.88  
像高           8.00     8.00     8.00  
レンズ全長    555.0    555.0    555.0
BF            18.93    18.93    18.93
d19            1.30    97.89   120.54  
d28          104.78     7.54     3.81  
d29           41.70     6.70     1.70  
d35           45.34    58.94    60.11  
d40            2.22    12.68     7.18  
d45            1.00    12.59     2.98    
入射瞳位置   103.42   263.92   439.60  
射出瞳位置    97.58   152.86   189.08  
前側主点位置 114.96   355.29   639.13  
後側主点位置   8.71   -43.44   -98.93  
ズームレンズ群データ
群  始面    焦点距離  レンズ構成長  前側主点位置  後側主点位置  h12w   h12t
1    1     118.86     183.31       122.06       52.46     -53.06  66.18
2   20     -39.50      33.96        -1.90      -37.93
絞り 29       ∞         0.00         0.00        -0.00
3   30     354.20      10.48       -11.03       -17.23
4   36     125.85      19.06         5.12        -7.34
5   41     109.76      23.95        18.82         3.27
GB   46       ∞        69.00        21.00       -21.00
単レンズデータ
レンズ  始面  焦点距離
1       1   -274.53
2       3   -264.62
3       5   -164.58
4       7    142.32
5       9    355.06
6      11    192.94
7      12   -183.87
8      14    377.05
9      16    560.15
10      18    420.50
11      20    -54.21
12      22    -52.70
13      23   -222.02
14      25   -301.01
15      27     72.78
16      30    191.27
17      32    134.00
18      34    -98.42
19      36    105.42
20      38    -62.95
21      39     70.41
22      41     89.46
23      42    -58.08
24      44     68.88
25      46      0.00
26      47      0.00
【００８０】
［数値実施例３］
単位 mm
面データ
面番号       r        d      nd         νd       有効径
1        192.538    3.80   1.69680    55.5      150.81
2         90.124   26.53                        130.15
3       1137.046    3.30   1.69680    55.5      129.65
4        173.488   23.56                        123.09
5       -211.400    3.20   1.69680    55.5      121.93
6       1107.320    0.20                        122.61
7        227.918   13.31   1.72825    28.5      125.27
8       -830.254    2.34                        125.56
9       -803.054    9.85   1.43387    95.1      125.84
10       -197.901    0.10                        126.11
11      -91563.853   21.72   1.48749    70.2      125.09
12       -107.730    3.60   1.68893    31.1      124.97
13       -196.978   24.29                        126.46
14        220.132    3.80   1.72342    38.0      115.22
15        100.029   20.24   1.49700    81.6      110.55
16      -4267.236    0.20                        109.81
17        188.345   17.01   1.43387    95.1      108.68
18       -241.512    0.20                        107.93
19        112.264    7.08   1.59240    68.3       98.03
20        187.523  (可変)                         96.68
21         77.858    1.50   1.81600    46.6       39.87
22         34.542    7.32                         35.73
23        -77.035    1.40   1.81600    46.6       35.47
24         50.165    7.11                         33.92
25        -60.355    9.36   1.61340    44.3       34.17
26        -25.171    1.40   1.61800    63.4       35.57
27       -115.309    0.20                         37.85
28        138.818    7.25   1.64769    33.8       38.91
29        -92.338  (可変)                         39.37
30(絞り)    ∞     (可変)                         24.28
31        -54.496    1.70   1.78800    47.4       32.30
32         76.811    3.92   1.84666    23.9       34.58
33       -603.198  (可変)                         35.16
34        808.791    5.18   1.66672    48.3       38.35
35        -75.507    0.20                         39.08
36        120.558    3.74   1.48749    70.2       39.91
37       3972.637    0.20                         39.93
38         68.841    8.24   1.48749    70.2       40.01
39        -80.816    1.80   1.80400    46.6       39.50
40        302.876  (可変)                         39.24
41        128.751    6.34   1.51633    64.2       40.55
42        -84.948    0.20                         40.42
43       -141.016    2.00   1.83400    37.2       39.99
44         52.611    8.97   1.48749    70.2       39.64
45        -86.168    0.20                         40.05
46        253.711    2.89   1.72342    38.0       40.12
47      -49498.685  (可変)                         40.05
48        145.112    6.69   1.52249    59.8       39.57
49        -67.605    1.80   1.80100    35.0       39.27
50       -657.975    0.20                         39.26
51         42.238    5.18   1.48749    70.2       38.99
52        109.458  (可変)                         38.22
53          ∞      50.00   1.69680    55.5       40.00
54          ∞      19.00   1.51633    64.2       40.00
55          ∞       8.36                         40.00
像面        ∞   
【００８１】
各種データ
ズーム比     11.54 
広角     中間     望遠
焦点距離      10.26    50.94   118.48  
Fナンバー      1.93     2.16     2.82  
半画角（度）  37.93     8.93     3.86  
像高           8.00     8.00     8.00  
レンズ全長    542.8    542.8    542.8
BF             8.36     8.36     8.36  
d20            1.30    91.59   112.77  
d29           65.65     8.19     2.81  
d30           53.43    13.43     3.43  
d33            5.21    10.70     1.58  
d40           48.26    46.37    40.62  
d47            0.70     4.27    13.34  
d52           11.55    11.55    11.53    
入射瞳位置    99.15   239.19   388.19  
射出瞳位置    57.46   134.78   774.18  
前側主点位置 111.56   310.66   525.00  
後側主点位置  -1.90   -42.57  -110.12  
ズームレンズ群データ
群  始面   焦点距離  レンズ構成長  前側主点位置  後側主点位置  h12w    h12t
1    1    105.99     184.34       120.71       54.38     -55.70   55.77
2   21    -39.54      35.54        -2.62      -38.21
絞り 30      ∞         0.00         0.00       -0.00
3   31    -81.82       5.62        -0.41       -3.50
4   34     67.51      19.36         0.48      -11.55
5   41    161.58      20.59        10.34       -3.35
6   48    126.41      13.88         1.72       -7.30
GB   53      ∞        69.00        21.00      -21.00
単レンズデータ
レンズ  始面  焦点距離
1       1   -246.92
2       3   -294.22
3       5   -254.50
4       7    246.87
5       9    602.33
6      11    221.23
7      12   -350.90
8      14   -256.85
9      15    196.96
10      17    246.86
11      19    456.22
12      21    -77.29
13      23    -37.05
14      25     63.92
15      26    -52.41
16      28     86.69
17      31    -40.23
18      32     80.69
19      34    103.82
20      36    254.96
21      38     77.66
22      39    -79.18
23      41    100.13
24      43    -45.73
25      44     68.46
26      46    348.93
27      48     89.23
28      49    -94.19
29      51    137.61
30      53      0.00
31      54      0.00
【００８２】
［数値実施例４］
単位 mm
面データ
面番号       r        d      nd         νd       有効径
1        217.698    3.80   1.69680    55.5      137.13
2         96.671   20.28                        121.26
3       1068.206    3.30   1.69680    55.5      120.76
4        173.708   21.05                        114.88
5       -206.041    3.20   1.69680    55.5      113.59
6        886.631    0.20                        113.80
7        232.202   13.45   1.72825    28.5      115.31
8       -605.827    2.75                        115.72
9       -511.347    7.97   1.43387    95.1      115.88
10       -254.920    0.82                        116.41
11       1119.132   22.40   1.48749    70.2      116.09
12        -99.326    3.60   1.68893    31.1      115.96
13       -168.718   20.26                        117.64
14        250.021    3.80   1.72342    38.0      108.93
15        104.448   18.91   1.49700    81.6      107.00
16      -2007.328    0.20                        107.01
17        172.890   16.78   1.43387    95.1      106.88
18       -263.576    0.20                        106.31
19        106.273    7.08   1.59240    68.3       98.01
20        168.920  (可変)                         96.56
21         83.337    1.50   1.81600    46.6       38.89
22         35.662    6.84                         35.06
23        -78.070    1.40   1.81600    46.6       34.82
24         51.157    7.18                         33.40
25        -57.496    8.35   1.61340    44.3       33.66
26        -28.487    1.40   1.61800    63.4       35.19
27       -123.714    0.20                         37.15
28        181.047    8.43   1.64769    33.8       38.09
29        -79.192  (可変)                         38.93
30(絞り)    ∞       3.47                         33.45
31        -58.409    1.70   1.78800    47.4       33.62
32         86.486    5.95   1.84666    23.9       36.07
33       -993.488  (可変)                         37.53
34       1613.898    5.75   1.66672    48.3       42.78
35        -68.571    0.20                         43.52
36        140.977    7.00   1.48749    70.2       44.40
37       -624.247    0.20                         44.41
38         81.405   10.27   1.48749    70.2       44.32
39        -73.594    1.80   1.80400    46.6       43.53
40        357.150  (可変)                         43.33
41        122.357    8.88   1.51633    64.2       46.30
42       -101.302    0.20                         45.96
43       -377.667    2.00   1.83400    37.2       45.22
44         54.869    9.61   1.48749    70.2       44.35
45       -117.115  (可変)                         44.53
46        135.304    7.89   1.52249    59.8       44.02
47        -66.268    1.80   1.80100    35.0       43.73
48       -347.126    0.20                         43.77
49         50.736    5.71   1.48749    70.2       43.27
50        191.208  (可変)                         42.53
51          ∞      50.00   1.69680    55.5       40.00
52          ∞      19.00   1.51633    64.2       40.00
53          ∞       8.36                         40.00
像面        ∞   
【００８３】
各種データ
ズーム比     11.54 
広角     中間     望遠
焦点距離      11.03    51.47   127.30  
Fナンバー      1.93     1.85     2.30  
半画角（度）  35.96     8.83     3.60  
像高           8.00     8.00     8.00  
レンズ全長    542.8    542.8    542.8
BF             8.36     8.36     8.36 
d20            1.30    88.99   110.92  
d29          113.91    17.86     2.81  
d33            4.10    10.46     1.58  
d40           53.52    47.80    19.11  
d45            3.11    10.83    41.51  
d50           11.55    11.56    11.54  
入射瞳位置    96.96   241.06   378.51  
射出瞳位置   245.10   191.35   1209.18  
前側主点位置 108.50   307.01   519.31  
後側主点位置  -2.67   -43.11  -118.94  
ズームレンズ群データ
群  始面   焦点距離  レンズ構成長  前側主点位置  後側主点位置   h12w   h12t 
1    1    110.51     170.04      114.33        50.28      -51.38  58.24
2   21    -38.63      35.30       -2.40       -37.29
3   30    -83.99      11.12        3.12        -4.54
4   34     67.99      25.21        0.34       -15.21
5   41    202.56      20.69        5.83        -8.17
6   46    110.70      15.60        3.15        -7.09
GB   51      ∞        69.00       21.00       -21.00
単レンズデータ
レンズ  始面  焦点距離
1       1   -252.81
2       3   -298.16
3       5   -239.65
4       7    232.07
5       9    1160.73
6      11    188.27
7      12   -358.12
8      14   -250.72
9      15    200.36
10      17    243.47
11      19    464.21
12      21    -77.49
13      23    -37.69
14      25     82.97
15      26    -60.22
16      28     86.16
17      31    -44.02
18      32     94.21
19      34     98.79
20      36    236.62
21      38     81.05
22      39    -75.75
23      41    108.80
24      43    -57.32
25      44     78.07
26      46     86.29
27      47   -102.54
28      49    139.80
29      51      0.00
30      52      0.00
【００８４】
【表１】
2014063026.tif 000004
【符号の説明】
【００８５】
Ｌ０  ズームレンズ      ＬＲ  後群      Ｌ１  第１レンズ群
Ｌ１ａ  第１ａレンズ群      Ｌ１ａ１  第１ａ１レンズ群
Ｌ１ａ２  第１ａ２レンズ群      Ｌ１ｂ  第１ｂレンズ群      Ｌ２  第２レンズ群
Ｌ３  第３レンズ群      Ｌ４  第４レンズ群      Ｌ５  第５レンズ群
Ｌ６  第６レンズ群      ＳＰ  開口絞り
【図１】
2014063026.tif 000005
【図２】
2014063026.tif 000006
【図３】
2014063026.tif 000007
【図４】
2014063026.tif 000008
【図５】
2014063026.tif 000009
【図６】
2014063026.tif 000010
【図７】
2014063026.tif 000011
【図８】
2014063026.tif 000012
【図９】
2014063026.tif 000013